(57)【要約】      （修正有）【課題】シリンジのプランジャが押し込まれた状態を容易に保持することのできるプランジャロックアダプタを提供する。【解決手段】シリンジ１０に取り付けられるプランジャロックアダプタ１００において、前記シリンジ１０のプランジャ１１に結合される結合部２と、前記シリンジ１０の筒部１５を前記プランジャ１１の軸芯Ａに対して回転させたときに、前記シリンジ１０のフィンガーフランジ１４，１４を引っ掛けて前記プランジャ１１に対する前記筒部１５の摺動を制限する引掛部４と、を有するようにした。【選択図】図４
2020127623.tif 000002
【特許請求の範囲】
【請求項１】
シリンジに取り付けられるプランジャロックアダプタにおいて、
前記シリンジのプランジャに結合される結合部と、
前記シリンジの筒部を前記プランジャの軸芯に対して回転させたときに、前記シリンジのフィンガーフランジを引っ掛けて前記プランジャに対する前記筒部の摺動を制限する引掛部と、
を有することを特徴とするプランジャロックアダプタ。
【請求項２】
請求項１に記載のプランジャロックアダプタにおいて、前記結合部および前記引掛部が設けられた本体部を備え、前記本体部は、前記筒部が摺動する際に前記本体部に対して回転しないように前記フィンガーフランジをガイドするガイド部を有することを特徴とする、プランジャロックアダプタ。
【請求項３】
請求項２に記載のプランジャロックアダプタにおいて、前記引掛部は、前記ガイド部の端に設けられたことを特徴とする、プランジャロックアダプタ。
【請求項４】
請求項１に記載のプランジャロックアダプタにおいて、
前記結合部及び前記引掛部が設けられた第１のユニットと、
前記フィンガーフランジに取り付けられる第２のユニットと
を備え、前記引掛部は、前記第２のユニットを介して前記フィンガーフランジを引っ掛けることを特徴とするプランジャロックアダプタ。
【請求項５】
請求項４に記載のプランジャロックアダプタにおいて、
前記第２のユニットは、前記プランジャの回転範囲を制限する回転制限部が前記フィンガーフランジとの間に取り付けられることを特徴とするプランジャロックアダプタ。
【請求項６】
請求項５に記載のプランジャロックアダプタにおいて、
前記回転制限部は、前記筒部に挿入される挿入部を有することを特徴とするプランジャロックアダプタ。
【請求項７】
請求項５または６に記載のプランジャロックアダプタにおいて、前記回転制限部は、前記フィンガーフランジに当接するプレート部から前記挿入部が延びており、前記第２のユニットは、前記挿入部が前記筒部に挿入されるとともに前記プレート部が前記フィンガーフランジに当接した状態で、前記摺動方向に垂直な方向に、前記フィンガーフランジ及び前記回転制限部に嵌められることを特徴とする、プランジャロックアダプタ。
【請求項８】
シリンジに取り付けられるプランジャロックアダプタにおいて、
前記シリンジのプランジャに結合される結合部と、
前記シリンジの筒部を前記プランジャの軸芯に対して回転させたときに、前記シリンジのフィンガーフランジを引っ掛けて前記プランジャに対する前記筒部の摺動を制限する引掛部とが設けられた本体部を備え、
前記本体部は、前記筒部が摺動する際に前記本体部に対して回転しないように前記フィンガーフランジをガイドすることを特徴とする、プランジャロックアダプタ。
【請求項９】
シリンジに取り付けられるプランジャロックアダプタにおいて、
前記シリンジのプランジャに結合される第１のユニットと、
前記フィンガーフランジに取り付けられる第２のユニットと
を備え、
前記第１のユニットは、前記シリンジの筒部を前記プランジャの軸芯に対して回転させたときに、前記第２のユニットを引っ掛けて前記プランジャに対する前記筒部の摺動を制限することを特徴とする、プランジャロックアダプタ。
【発明の詳細な説明】
【技術分野】
【０００１】
本発明は、シリンジに取り付けられるプランジャロックアダプタに関する。
【背景技術】
【０００２】
従来、流体を貯留し、使用者の操作により貯留していた流体を吐出させるシリンジやリザーバが知られている（例えば、特許文献１参照）。この種のシリンジやリザーバは、例えば、尿路用カテーテル等のバルーンカテーテルに用いられており、バルーンカテーテルにチューブを介して取り付けられ、バルーンカテーテルを尿道に固定するために用いられる。バルーンカテーテルを尿道に取り付ける際には、先ず、バルーンが収縮した状態で尿道内に挿入される。次に、バルーンカテーテルの先端に設けられたバルーンが膀胱内に到達すると、使用者が後端のリザーバを操作してリザーバ内に貯留されていた滅菌水を吐出させ、吐出された滅菌水はバルーン内に注入されてバルーンを膨張させる。これにより、膀胱内でバルーンが膨張して引っ掛かるため、バルーンカテーテルが固定されて尿道からの脱落を防止する。
【０００３】
使用者がシリンジリザーバの操作を終了してシリンジリザーバが滅菌水の吐出を中止すると、弾性体で形成されたバルーンは収縮して貯留していた滅菌水を吐出し、シリンジやリザーバに向けて送り返してしまう。このため、バルーンが膨脹すると、使用者は、滅菌水を吐出した状態を維持するようにシリンジやリザーバを保持しつつ、クリップ等でリザーバとバルーンとを繋ぐチューブを挟んで流路を閉じていた。これにより、バルーンの収縮が防止され、使用者がシリンジやリザーバを保持しなくてもバルーンカテーテルは尿道内に固定される。
【先行技術文献】
【特許文献】
【０００４】
【特許文献１】特表２０１０−５２７２５５号公報
【発明の概要】
【発明が解決しようとする課題】
【０００５】
しかしながら、上記従来の技術によるシリンジやリザーバでは、バルーンカテーテルのバルーンを膀胱内で膨張させた状態のときに、滅菌水を吐出した状態のシリンジやリザーバを使用者が保持する必要があった。
【０００６】
このため、特に体の不自由な使用者は、自力で尿路用カテーテルを尿道に留置させることは困難であった。
【０００７】
本発明は、上記従来の技術による課題を解消し、シリンジのプランジャが押し込まれた状態を容易に保持することのできるプランジャロックアダプタを提供することを目的とする。
【課題を解決するための手段】
【０００８】
本発明は、シリンジに取り付けられるプランジャロックアダプタにおいて、前記シリンジのプランジャに結合される結合部と、前記シリンジの筒部を前記プランジャの軸芯に対して回転させたときに、前記シリンジのフィンガーフランジを引っ掛けて前記プランジャに対する前記筒部の摺動を制限する引掛部と、を有することを特徴とする。
【０００９】
この場合において、前記結合部および前記引掛部が設けられた本体部を備え、前記本体部は、前記筒部が摺動する際に前記本体部に対して回転しないように前記フィンガーフランジをガイドするガイド部を有していてもよい。前記引掛部は、前記ガイド部の端に設けられていてもよい。前記結合部及び前記引掛部が設けられた第１のユニットと、前記フィンガーフランジに取り付けられる第２のユニットとを備え、前記引掛部は、前記第２のユニットを介して前記フィンガーフランジを引っ掛けていてもよい。前記第２のユニットは、前記プランジャの回転範囲を制限する回転制限部が前記フィンガーフランジとの間に取り付けられていてもよい。前記回転制限部は、前記筒部に挿入される挿入部を有していてもよい。前記回転制限部は、前記フィンガーフランジに当接するプレート部から前記挿入部が延びており、前記第２のユニットは、前記挿入部が前記筒部に挿入されるとともに前記プレート部が前記フィンガーフランジに当接した状態で、前記摺動方向に垂直な方向に、前記フィンガーフランジ及び前記回転制限部に嵌められていてもよい。
【００１０】
また、本発明は、シリンジに取り付けられるプランジャロックアダプタにおいて、前記シリンジのプランジャに結合される結合部と、前記シリンジの筒部を前記プランジャの軸芯に対して回転させたときに、前記シリンジのフィンガーフランジを引っ掛けて前記プランジャに対する前記筒部の摺動を制限する引掛部とが設けられた本体部を備え、前記本体部は、前記筒部が摺動する際に前記本体部に対して回転しないように前記フィンガーフランジをガイドすることを特徴とする。
【００１１】
さらに、本発明は、シリンジに取り付けられるプランジャロックアダプタにおいて、前記シリンジのプランジャに結合される第１のユニットと、前記フィンガーフランジに取り付けられる第２のユニットとを備え、前記第１のユニットは、前記シリンジの筒部を前記プランジャの軸芯に対して回転させたときに、前記第２のユニットを引っ掛けて前記プランジャに対する前記筒部の摺動を制限することを特徴とする。
【発明の効果】
【００１２】
本発明では、シリンジのプランジャが押し込まれた状態を容易に保持することのできるプランジャロックアダプタを提供することができる。
【図面の簡単な説明】
【００１３】
【図１】第１実施形態に係るプランジャロックアダプタの斜視図を示す。
【図２】プランジャロックアダプタの断面図を示す。
【図３】プランジャロックアダプタの片側半分の正面図を示す。
【図４】図３のプランジャロックアダプタの片側にシリンジを組み込んだ正面図を示す。
【図５】シリンジを組み込んだプランジャロックアダプタの引掛部近傍の断面図を示す。
【図６】第２実施形態に係るプランジャロックアダプタがシリンジに取り付けられた状態の斜視図を示す。
【図７】第１のユニットの斜視図を示す。
【図８】第２のユニットの斜視図を示す。
【図９】回転制限部の斜視図を示す。
【図１０】第２のユニットに引っ掛けられる第１のユニットの断面図を示す。
【図１１】プランジャが筒部内に押し込まれた状態で保持されている様子を示す斜視図を示す。
【発明を実施するための形態】
【００１４】
以下、図面を参照して、本発明の好適な実施の形態について説明する。
（第１実施形態）
図１は、第１実施形態に係るプランジャロックアダプタの斜視図を示し、図２は、プランジャロックアダプタの断面図を示し、図３は、プランジャロックアダプタの片側半分の正面図を示し、図４は、図３のプランジャロックアダプタの片側にシリンジを組み込んだ正面図を示し、図５は、シリンジを組み込んだプランジャロックアダプタの引掛部近傍の断面図を示す。図５において、図５（ａ）は、フィンガーフランジがガイド部を通る様子を示し、図（ｂ）は、フィンガーフランジが引掛部に引っ掛かった様子を示している。
【００１５】
プランジャロックアダプタ１００は、チューブを介して尿路用カテーテルに接続され、使用者が自ら操作してシリンジ１０内に貯留している滅菌水を吐出させて尿路用カテーテルのバルーンに注入するために用いられる器具である。プランジャロックアダプタ１００は、図１に示すように、２つの筐体が組み合わされて筒形状を有する樹脂製の本体部１を備えている。この本体部１は、結合部２、ガイド部３，３、及び引掛部４を有している。
結合部２は、図２に示すように、第１の壁部５と、第１の壁部５と対向する第２の壁部６とを有している。第２の壁部６は、開口７が形成されている。この開口７は、プランジャロックアダプタ１００がシリンジ１０に取り付けられたときに、シリンジ１０のプランジャ１１に形成されたフランジ形状の端部１２を通さないが、プランジャ１１の軸部１３は通す程度の大きさに形成されている。第１の壁部５と第２の壁部６とは、間に配置されたプランジャ１１の端部１２がほとんど動けない程度の間隔で配置されている。これにより、結合部２は、プランジャ１１に対してプランジャ１１の摺動方向Ｂにほとんど動かないように結合されている。
【００１６】
ガイド部３，３は、図３に示すように、プランジャロックアダプタ１００が取り付けられるシリンジ１０（図４参照）のフィンガーフランジ１４，１４の各々に対して設けられており、それぞれフィンガーフランジ１４，１４がプランジャ１１の摺動方向Ｂに摺動可能に形成されている。各ガイド部３，３は、摺動方向Ｂに延在して対向する一対の壁部３ａ，３ａでフィンガーフランジ１４を挟むように形成されている。これら一対の壁部３ａ，３ａの間隔は、一対のフィンガーフランジ１４，１４が配列された方向の２つのフィンガーフランジ１４，１４の外側端部どうしの間の幅よりも狭くなっている。これにより、各ガイド部３，３は、図４に示すように、開口８から外部に突き出るシリンジ１０の筒部１５が本体部１内で摺動する際に本体部１に対して回転しないようにフィンガーフランジ１４，１４をガイドするようになっている。
【００１７】
引掛部４，４は、図２に示すように、ガイド部３，３の結合部２側の端に設けられている。引掛部４，４は、シリンジ１０の筒部１５をプランジャ１１の軸芯Ａに対して回転させたときに、フィンガーフランジ１４，１４が中で回転可能に形成されており、回転したフィンガーフランジ１４，１４を引っ掛けてプランジャ１１に対する筒部１５の摺動を制限する。具体的には、図５（ａ）に示すように、ガイド部３，３でガイドされて結合部２（図４参照）近傍まで押し込まれたフィンガーフランジ１４，１４は、図５（ｂ）に示すように、ガイド部３，３の奥で回転させられると、引掛部４，４の当接面４ａ，４ａと当接する状態となり、プランジャ１１が筒部１５から引き出される方向に移動できないようになっている。なお、本実施形態では、当接面４ａ，４ａは傾斜しており、プランジャ１１に対する筒部１５の摺動を制限する方向にフィンガーフランジ１４，１４を回転させて引掛部４，４に差し込むほど、当接面４ａ，４ａはフィンガーフランジ１４，１４に当接して結合部２側に押し付けるようになっている。これにより、フィンガーフランジ１４，１４は当接面４ａ，４ａに引っ掛かるため、プランジャ１１が筒部１５から抜けないようになっている。
【００１８】
本実施形態に係るプランジャロックアダプタ１００は、シリンジ１０のプランジャ１１に結合される結合部２と、シリンジ１０の筒部１５をプランジャ１１の軸芯Ａに対して回転させたときに、シリンジ１０のフィンガーフランジ１４，１４を引っ掛けてプランジャ１１に対する筒部１５の摺動を制限する引掛部４，４と、を有している。これにより、筒部１５をプランジャロックアダプタ１００内に押し込んだ状態で筒部１５を回転させるだけで、フィンガーフランジ１４，１４が引掛部４，４に引っ掛かる。このため、プランジャ１１が押し込まれた状態を容易に保持することができる。
【００１９】
（第２実施形態）
図６は、第２実施形態に係るプランジャロックアダプタがシリンジに取り付けられた状態の斜視図を示し、図７は、第１のユニットの斜視図を示し、図８は、第２のユニットの斜視図を示し、図９は、回転制限部の斜視図を示し、図１０は、第２のユニットに引っ掛けられる第１のユニットの断面図を示し、図１１は、プランジャが筒部内に押し込まれた状態で保持されている様子を示す斜視図を示す。なお、図１０において、図１０（ａ）は、第１のユニットの引掛部が第２のユニットに引っ掛かる直前の様子を示し、図１０（ｂ）は、第１のユニットの引掛部が第２のユニットに引っ掛かった様子を示している。
【００２０】
プランジャロックアダプタ２００は、チューブを介して尿路用カテーテルに接続され、使用者が自ら操作してシリンジ１０内に貯留している滅菌水を吐出させて尿路用カテーテルのバルーンに注入するために用いられる器具である。プランジャロックアダプタ２００は、図６示すように、第１のユニット２０と、第２のユニット３０と、一対の回転制限部４０，４０とで構成され、それぞれ樹脂で成形されている。
【００２１】
第１のユニット２０は、図７に示すように、第２のユニット３０に引っ掛かるための引掛部２１と、シリンジ１０のプランジャ１１の端部１２が嵌め込まれて固定される結合部２２と、紐等を介してスタンド等に引っ掛けるためのリング２３，２３とが設けられている。
【００２２】
引掛部２１は、第１のユニット２０が取り付けられるプランジャ１１の摺動方向Ｂに垂直に広がるとともに角部が曲面で形成された板形状に形成されている。
【００２３】
結合部２２は、プランジャ１１の摺動方向Ｂに垂直な方向にプランジャ１１の端部１２が嵌合する凹部２４が形成されている。この凹部２４は、プランジャ１１が差し込まれる入口近傍に突起２４ａが形成されて狭まって形成されていることにより、プランジャ１１が結合部２２から抜け難くなっている。また、凹部２４は、嵌合されたプランジャ１１を摺動方向Ｂに挟み込むようにプランジャ１１と嵌合しているため、プランジャ１１は、凹部２４に対して摺動方向Ｂに摺動しないようになっている。
【００２４】
リング２３，２３は、結合部２２を中心にして、引掛部２１とは反対側に形成されている。これらリング２３，２３は、凹部２４を挟んだ位置に配置されている。
【００２５】
第２のユニット３０は、図８に示すように、第１のユニット２０の引掛部２１が引っ掛かる２つの爪３１，３２と、シリンジ１０のフィンガーフランジ１４，１４及び回転制限部４０，４０が嵌合する嵌合部３３が設けられている。
【００２６】
２つの爪３１，３２は、間隔を空けて第２のユニット３０上に配置されている。爪３１，３２は、摺動方向Ｂに垂直に延びる板形状部材で形成されている。爪３１と爪３２とは引掛部２１が引っ掛かる板形状部材の形状が若干異なっている。これら爪３１及び爪３２は、第１のユニットの引掛部２１が引っ掛かるようになっている。すなわち、本実施形態では、引掛部２１は、第２のユニット３０を介することにより、フィンガーフランジ１４，１４を引っ掛けるようになっている。
【００２７】
嵌合部３３は、摺動方向Ｂに対向して配置された平行な一対の板形状部材及びこれら板形状部材の縁を繋げる壁部で形成されている。嵌合部３３は、プランジャロックアダプタ２００に取り付けられるシリンジ１０のフィンガーフランジ１４，１４と、回転制限部４０，４０とを重ね合わせた状態で、一対の板形状部材で挟み込んで嵌合するようになっている。この嵌合部３３は、フィンガーフランジ１４，１４及び回転制限部４０，４０が差し込まれる入口近傍に突起３３ａが形成されて狭まって形成されていることにより、シリンジ１０の筒部１５が嵌合部３３から抜け難くなっている。
【００２８】
回転制限部４０，４０は、図９に示すように、それぞれプレート部４１と、突起部４２とを有している。
【００２９】
プレート部４１は、シリンジ１０のフィンガーフランジ１４と似た形状を有している。このプレート部４１は一辺に半円の円弧形状を有する凹部４１ａが形成されており、この凹部４１ａは摺動方向Ｂに垂直な方向にプランジャ１１と嵌合する形状を有している。
【００３０】
突起部４２は、プレート部４１の凹部４１ａの円弧からプレート部４１の面内方向で円弧の中心に向けて突出している。この突起部４２は、プレート部４１に垂直な方向、すなわちシリンジ１０に組み込まれたときの摺動方向Ｂ、に延在する挿入部４３を有している。この挿入部４３は、シリンジ１０の筒部１５の内面と当接するようになっている。
【００３１】
本実施形態に係るプランジャロックアダプタ２００は、２枚の細長い板状部材を交差させたような４つの直角な凹部で形成された十字形状断面の軸部１３を有するプランジャ１１（図６参照）に取り付けられるように構成されている。突起部４２は、これら４つの直角な凹部の１つの中に突出しており、他の凹部には移動できない程度の突出量を有している。これにより、プランジャ１１は、突起部４２により回転が制限されるようになっている。
【００３２】
第２のユニット３０をシリンジ１０のフィンガーフランジ１４，１４に組み付ける際には、図６に示すように、プランジャ１１を挟むように一対の挿入部４３，４３を筒部１５内に挿入し、プレート部４１がフィンガーフランジ１４，１４に当接した状態で、摺動方向Ｂに垂直な方向に、フィンガーフランジ１４，１４及び回転制限部４０，４０に嵌められるようになっている。
【００３３】
以下、シリンジ１０に取り付けられたプランジャロックアダプタ２００の使用方法について説明する。
まず、プランジャ１１とともに第１のユニット２０を第２のユニット３０に押し付ける。このとき、図１０（ａ）に示すように、第１のユニット２０は第２のユニット３０に対して斜めになるようにプランジャ１１とともに回転した状態で第２のユニット３０に押し付けられ、第１のユニット２０の引掛部２１，２１が第２のユニット３０の爪３１と爪３２との間に入り込む。なお、第１のユニット２０の第２のユニット３０に対する傾き角は、回転制限部４０，４０により一定の範囲に制限されている。
【００３４】
第１のユニット２０の引掛部２１，２１が第２のユニット３０の爪３１と爪３２との間に位置する状態で使用者がプランジャ１１とともに第１のユニット２０を軸芯Ａを中心に回転させると、図１０（ｂ）に示すように、第１のユニット２０の引掛部２１，２１がそれぞれ第２のユニット３０の爪３１と爪３２とに引っ掛かる。これにより、フィンガーフランジ１４，１４は、図１１に示すように、第２のユニット３０を介して第１のユニットに引っ掛かるため、プランジャ１１が筒部１５から抜けないようになっている。
【００３５】
本実施形態に係るプランジャロックアダプタ２００は、結合部２２及び引掛部２１が設けられた第１のユニット２０と、フィンガーフランジ１４，１４に取り付けられる第２のユニット３０とを備え、引掛部２１は、第２のユニット３０を介してフィンガーフランジ１４，１４を引っ掛けている。これにより、第１のユニット２０を第２のユニット３０に押し付けた状態で第１のユニット２０を回転させるだけで、フィンガーフランジ１４，１４が引掛部２１，２１に引っ掛かる。このため、プランジャ１１が押し込まれた状態を容易に保持することができる。
【符号の説明】
【００３６】
１…本体部
２…結合部
３…ガイド部
３ａ…壁部
４…引掛部
４ａ…当接面
５…第１の壁部
６…第２の壁部
７…開口
８…開口
１０…シリンジ
１１…プランジャ
１２…端部
１３…軸部
１４…フィンガーフランジ
１５…筒部
２０…第１のユニット
２１…引掛部
２２…結合部
２３…リング
２４…凹部
２４ａ…突起
３０…第２のユニット
３１…爪
３２…爪
３３…嵌合部
３３ａ…突起
４０…回転制限部
４１…プレート部
４１ａ…凹部
４２…突起部
４３…挿入部
１００…プランジャロックアダプタ
２００…プランジャロックアダプタ
Ａ…軸芯
Ｂ…摺動方向
【図１】
2020127623.tif 000003
【図２】
2020127623.tif 000004
【図３】
2020127623.tif 000005
【図４】
2020127623.tif 000006
【図５】
2020127623.tif 000007
【図６】
2020127623.tif 000008
【図７】
2020127623.tif 000009
【図８】
2020127623.tif 000010
【図９】
2020127623.tif 000011
【図１０】
2020127623.tif 000012
【図１１】
2020127623.tif 000013
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
シリンジに取り付けられるプランジャロックアダプタにおいて、
前記シリンジのプランジャに結合される結合部と、
前記シリンジの筒部を前記プランジャの軸芯に対して回転させたときに、前記シリンジのフィンガーフランジを引っ掛けて前記プランジャに対する前記筒部の摺動を制限する引掛部とが設けられた本体部を備え、
前記本体部は、前記筒部が摺動する際に前記本体部に対して回転しないように前記フィンガーフランジをガイドするガイド部を有することを特徴とするプランジャロックアダプタ。
【請求項２】
請求項１に記載のプランジャロックアダプタにおいて、前記引掛部は、前記ガイド部の端に設けられたことを特徴とする、プランジャロックアダプタ。
【請求項３】
シリンジに取り付けられるプランジャロックアダプタにおいて、
前記シリンジのプランジャに結合される結合部と、前記シリンジの筒部を前記プランジャの軸芯に対して回転させたときに、前記シリンジのフィンガーフランジを引っ掛けて前記プランジャに対する前記筒部の摺動を制限する引掛部とが設けられた第１のユニットと、
前記フィンガーフランジに取り付けられる第２のユニットと
を備え、前記引掛部は、前記第２のユニットを介して前記フィンガーフランジを引っ掛けることを特徴とするプランジャロックアダプタ。
【請求項４】
請求項３に記載のプランジャロックアダプタにおいて、
前記第２のユニットは、前記プランジャの回転範囲を制限する回転制限部が前記フィンガーフランジとの間に取り付けられることを特徴とするプランジャロックアダプタ。
【請求項５】
請求項４に記載のプランジャロックアダプタにおいて、
前記回転制限部は、前記筒部に挿入される挿入部を有することを特徴とするプランジャロックアダプタ。
【請求項６】
請求項４または５に記載のプランジャロックアダプタにおいて、前記回転制限部は、前記フィンガーフランジに当接するプレート部から前記挿入部が延びており、前記第２のユニットは、前記挿入部が前記筒部に挿入されるとともに前記プレート部が前記フィンガーフランジに当接した状態で、前記摺動方向に垂直な方向に、前記フィンガーフランジ及び前記回転制限部に嵌められることを特徴とする、プランジャロックアダプタ。
【請求項７】
シリンジに取り付けられるプランジャロックアダプタにおいて、
前記シリンジのプランジャに結合される結合部と、
前記シリンジの筒部を前記プランジャの軸芯に対して回転させたときに、前記シリンジのフィンガーフランジを引っ掛けて前記プランジャに対する前記筒部の摺動を制限する引掛部とが設けられた本体部を備え、
前記本体部は、前記筒部が摺動する際に前記本体部に対して回転しないように前記フィンガーフランジをガイドすることを特徴とする、プランジャロックアダプタ。
【請求項８】
シリンジに取り付けられるプランジャロックアダプタにおいて、
前記シリンジのプランジャに結合される第１のユニットと、
前記フィンガーフランジに取り付けられる第２のユニットと
を備え、
前記第１のユニットは、前記シリンジの筒部を前記プランジャの軸芯に対して回転させたときに、前記第２のユニットを引っ掛けて前記プランジャに対する前記筒部の摺動を制限することを特徴とする、プランジャロックアダプタ。